【事件の表示】
　平成　８年特許願第５０６２６４号「液晶表示の最適化されたアドレス指定方法及びそれを実現する装置」拒絶査定不服審判事件〔平成　８年　２月１５日国際公開、ＷＯ９６／０４６４０、平成１０年　５月１２日国内公表、特表平１０−５０４９１１〕について、次のとおり審決する。
【結　論】
　本件審判の請求は、成り立たない。
【理　由】
　
１．手続の経緯
　本願は、１９９５年８月２日（パリ条約による優先権主張外国庁受理１９９４年８月２日、仏国）を国際出願日とする出願であって、平成１８年６月２２日付で拒絶査定がなされ、同年１０月２日に拒絶査定不服審判請求がなされるとともに、同日に手続補正がなされ、当審において、前記手続補正が平成１９年５月３１日付けで却下されるとともに、同日付けで拒絶理由が通知され、同年１２月４日に手続補正がなされたものである。
　
２．当審拒絶理由通知書における拒絶の理由の概要
　拒絶の理由の概要は以下のとおりである。 
「この出願は、特許請求の範囲及び発明の詳細な説明の記載が下記の点で、平成１４年改正前特許法３６条４項及び６項１号、２号に規定する要件を満たしていない。
　　　　　　　　　　　　　　　　　記
（１）上記特許請求の範囲の請求項１に記載の「前記遅延線の、該線の前記最後の部分での特性傾斜の絶対値」に関して、本願明細書には、「Ｂ点の遅延線の特性傾斜以下の傾斜αで、即ち、τはＢ点の遅延線の特性時間であり、ΔＶはＡ点の電位降下で表わすとき、ΔＶ／τよりも小さいαで減少する。」と記載されている。ここで、Ｂ点が「該線の前記最後の部分」に対応しており、「ΔＶ／τ」が特性傾斜に対応することは明らかである。
　
　そして、Ａ点の電位降下ΔＶに関しては、必ずしも明確ではないが、本願明細書には「容量結合によるＡ点の電圧降下ΔＶGは、画素上に電圧降下ΔＶ１＝Ｃｐ／Ｃｐｉ×ΔＶGを生じさせる。」との記載があり、Ａ点は遅延線上の点であり画素上の点ではないから、このＡ点の電圧降下ΔＶGのことを「Ａ点の電位降下ΔＶ」と言い替えているものと認められる。
　しかし、Ｂ点の遅延線の特性時間τについては、本願明細書においてその具体的な定義も具体的な説明も記載されていないうえ、「特性時間」が学術用語であるとも認められないから、「Ｂ点の遅延線の特性時間τ」を特定することができない。
　そのため、「ΔＶ／τ」を特定することができず、他に特許請求の範囲の請求項１に記載の「前記遅延線の、該線の前記最後の部分での特性傾斜」の技術事項として特定するための記載は本願明細書にみあたらない。
　よって、請求項１において「前記遅延線の、該線の前記最後の部分での特性傾斜」の絶対値よりも少ないと特定している「前記傾斜の絶対値α」を特定することもできないから、請求項１に係る発明を明確に把握することができず、そのため、請求項１に係る発明を当業者が容易に実施することも、請求項１に係る発明の技術上の意義を当業者が理解することもできない。
　
（２）・・・省略・・・
　
（３）・・・省略・・・
　
（４）以上（１）〜（３）から、本願の発明の詳細な説明の記載は、当業者が本願請求項１ないし３に係る各発明の技術上の意義を十分に理解できる程度に記載されておらず、経済産業省令で定めるところにより、当業者が請求項１ないし３に係る各発明を実施をできる程度に明確かつ十分に記載したものではなく、請求項１ないし３に係る各発明は、発明の詳細な説明に記載したものではなく、明確でもない。」 
　
３．特許請求の範囲及び発明の詳細な説明の記載
　
（１）特許請求の範囲の記載
　平成１９年１２月４日付け手続補正によって補正された特許請求の範囲の記載は次のとおりである。
　
「【請求項１】
　交点が、選択行に印加される信号によって制御されるスイッチング・トランジスタである選択行及びデータ行を備える、液晶スクリーンにおいてマトリックスのアドレスを指定する方法であって、
　端が浮動している前記選択行は、最初のスイッチング・トランジスタと関連付けられる最初の部分と、最後のスイッチング・トランジスタと関連付けられる最後の部分とを有する遅延線を構成し、
　遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有し、
　前記最初のトランジスタから開始して前記最後のトランジスタまで進んで各トランジスタの制御入力に印加される、時間の関数としての電圧の周期信号によって各行を周期的に走査する工程を備え、
　前記電圧信号の各周期は、高レベル電圧に相当する安定状態部分と、次に来る減少曲線部分とを備え、
　該曲線部分は、傾斜の直線部分であり、
　前記傾斜の値αは、前記遅延線の、該線の前記最後の部分での特性傾斜の値よりも少ないことを特徴とする、液晶スクリーンにおいてマトリックスのアドレスを指定する方法。
【請求項２】・・・省略・・・
【請求項３】・・・省略・・・」
　
（２）発明の詳細な説明の記載
　平成１９年１２月４日付け手続補正によって補正された明細書の発明の詳細な説明の記載は次のとおりである。
　
「　【技術分野】
　　【０００１】
　本発明は、スクリーンの全体の行に亘って均質の表示を与える液晶スクリーンのアドレス指定の方法・・・省略・・・に関する。
　　【背景技術】
　　【０００２】
　液晶スクリーンは、液晶を間に挟む電極及び対向電極ＣＥにより形成され、上記電極の間の電界の値が液晶の光学特性を変化させる各画像素子（画像の要素を表わす“画素”）の組により構成される。周知であり、図１に示すように、対向電極ＣＥは全画素に共通である一方、他方の電極は画素に固有であり、画素の電極として表される。画素の電極の端子の電圧は、上記画素の制御トランジスタによる周辺回路（“ドライバ”）によってアドレス指定列を介して伝えられ、上記トランジスタの導通又は非導通状態は、他の行ドライバからの選択行により決定される。
　　【０００３】
　図１は、画素Ｐ１乃至Ｐｎの制御トランジスタＴ１乃至Ｔｎを制御するｍ行及びｎ列の液晶スクリーンの選択行Ｌｊを表わす。この行Ｌｊは、図２に表わされたような方形の選択信号ＶＡ（ｔ）（高レベルＶＨ及び低レベルＶＬを有しており、ＶＨは、ｔＦ−ｔｉに等しい持続時間（又は幅）を有する安定状態中に印加され、ｔｉは安定状態の最初を示し、ｔＦは安定状態の最後を示す。）をＡ点で伝達する行ドライバに接続される。信号ＶＡ（ｔ）は、行ＬｊのトランジスタＴ１乃至Ｔｎを導通させ、かつ、画素Ｐｉの画素電極を列Ｃ１乃至Ｃｎから到来するビデオ信号により分極させる。図１には、対向電極ＣＥと、画素電極との間のキャパシタンスＣを示している。他のキャパシタンスも存在している。標遊キャパシタンスＣＰが、行Ｌｊと、画素Ｐ１乃至Ｐｎの電極それぞれとの間に存在している。更に、キャパシタンスＣＣＬは、行Ｌｊと、液晶を通る対向電極ＣＥとの間の容量性結合を表わす。
　　【０００４】
　端が浮動している上記選択行Ｌｊは、Ａ点との比較によりＢ点の選択信号の歪みを生じさせる遅延線を構成し、このＢ点の信号ＶＢ（ｔ）は図２に示される。これは、特に、均一な画像を表示することが望まれるとき、及び、同じ電圧がスクリーンの全列Ｃ１乃至Ｃｎに印加されたときに著しい。時点ｔＦで、画素Ｐｉの電極及び対向電極ＣＥにより形成されたキャパシタンスＣの端子の電圧は同一である。しかし、時点ｔＦ以降では、信号ＶＡ（ｔ）の形状とＶＢ（ｔ）の形状との間の差に起因して、このようなことはない。
　　【０００５】
　その理由は、Ａ点において、電圧降下は非常に速く、トランジスタＴ１はｔＦの直後にターンオフされるからである。更に、図１に示すように、標遊キャパシタンスＣｐが、行Ｌｊと、画素Ｐｉそれぞれとの間に存在する。かくして、行と画素Ｐ１との間の容量性結合によるＡ点の電圧降下ΔＶＧは、画素Ｐ１上に電圧降下：
　ΔＶ１＝Ｃｐ／Ｃ×ΔＶＧ　
を生じさせる。
　　【０００６】
　Ｖ１が列Ｃ１により画素Ｐ１に供給された電圧である場合に、トランジスタＴ１が導通を終えた後の画素上の電圧降下ΔＶ１は、図３ａに示され、ここで、ＶＣＥは対向電極ＣＥ上の電圧である。
　　【０００７】
　Ｂ点において、容量性結合の現象は同一であるが、この場合、電圧ＶＢ（ｔ）がＶ１＋Ｖｔよりも大きい限り、トランジスタＴｎは導通し続け、ここで、Ｖｔはトランジスタの閾値電圧である。トランジスタＴｎが導通している限り、画素の端子の電圧は列Ｃｎにより送られた電圧に一致した状態のままであるため、行Ｌｊと最後の画素Ｐｎとの間の結合ΔＶｎは、ΔＶ１よりも小さい。かくして、容量性結合は、トランジスタＴｎが導通し終えた時点で画素Ｐｎに対し電圧降下：
　ΔＶｎ＝Ｃｐ／Ｃ×ΔＶ’
を生じさせる。ΔＶ’は、トランジスタＴｎが導通し終えた時点での、Ｂ点の電圧降下である。ΔＶＧ及びΔＶ’は図３ａ及び図３ｂに示されている。
　　【０００８】
　画素に液晶の光学特性を変えさせる電圧は、従って、画素Ｐ１の場合にＶｐｉｘ１＝Ｖ１−ＶＣＥであり、画素Ｐｎの場合にＶｐｉｘｎ＝Ｖｎ−ＶＣＥであり、Ｖｐｉｘ１はＶｐｉｘｎとは異なる。このことが図３ｂに示されている。従って、濃淡レベルは行の最初と最後で同じではない。“水平方向シェーディング”と称されるこの問題は、特に、大きいサイズのスクリーンの場合に重要である。
　　【０００９】・・・省略・・・
　　【発明の開示】
　　【発明が解決しようとする課題】
　　【００１０】
　本発明は、上記の“水平方向シェーディング”の問題に対する簡単かつ効果的な解決法を提案する。
　　【課題を解決するための手段】
　　【００１１】
　本発明による方法は、実際上、時変電圧の信号を備えた各行を周期的に走査する段階からなり、各周期は、安定状態と、好ましくは、行端の遅延線の特性傾斜の値よりも小さい値の負の傾斜とにより構成される。
　　【００１２】・・・省略・・・
　　【００１３】
　更に、上記方法によれば、結合、即ち、スクリーン上の浮遊電圧を低下させることが可能になる。
　　【発明を実施するための最良の形態】
　　【００１４】
　以下の添付図面に例示された以下の説明を読むことにより、本発明はより良く理解され、その付加的な利点は明らかになる。
［実施例］
　本発明の一実施例は、図４ａに示され、水平方向シェーディングの原因である行の遅延の影響を補償するため、選択回路により送られた信号の形状を変えることからなる。例えば、２８μｓの幅の安定状態の後、本発明の一つの重要な特徴によれば、信号ＶＡ（ｔ）は、（間隔ｔＦ−ｔｉの安定状態の後）図３ａ及び図３ｂに示す場合のように急に減少することはないが、ｔＦから、好ましくは、Ｂ点の遅延線の特性傾斜以下の傾斜αで、即ち、τはＢ点の遅延線の特性時間であり、ΔＶはＡ点の電位降下を表わすとき、ΔＶ／τよりも小さいαで減少する。αの値の一例は、１μｓあたりにつき数ボルトである。かくして、電圧ＶＡ（ｔ）が、トランジスタＴ１乃至Ｔｎがターンオフされる電圧ＶＦ’に一致するまで、上記信号は減少する。この時点ｔＦ’から、信号は瞬時に降下する。
　　【００１５】
　かくして、ｔＦとｔＦ’との間で（間隔ｔＦ’−ｔＦは、例えば、６ボルトに対し３μｓと一致する）、信号はＡ点及びＢ点で同一であり、行の全トランジスタは、画素上で一定電圧を維持する。遅延を伴い、ｔＦとｔＦ’との間の傾斜αで終了する選択信号は、図４ａ、図４ｂ、図５ａ及び図５ｂに示される。
　　【００１６】
　時点ｔＦ’から、トランジスタＴ１及びＴｎはターンオフされ、結合は、従って、ΔＶ１＝ΔＶ２＝Ｃｐ／Ｃ　×　ΔＶである。画素Ｐ１及びＰｎの画素の端子の電圧は、夫々、図５ａ及び図５ｂにより示される。画素Ｐ１乃至Ｐｎ上の電圧は同じであり、従って、水平方向シェーディングが存在しない点に注意が必要である。
・・・省略・・・
　　【００２０】
　本発明は、フラット液晶スクリーンを修理するため使用することができる。実際上、従来の修理工程が存在するが、従来の修理の処理は修理された行のＲＣが増加すると共に動作しなくなり、隣接した行と同じ結合が与えられないので、修理された行が目立つようになる。修理された行又は正常な行のより長い特性時間をτとして使用することにより、修理された行は隣接した行と類似するようになる。
・・・省略・・・」
　
４．特許請求の範囲及び発明の詳細な説明の記載から把握できる事項
　
（１）本願の特許請求の範囲の請求項１の記載について
　上記３．（１）の記載からみて、本願の特許請求の範囲の請求項１には、
「交点が、選択行に印加される信号によって制御されるスイッチング・トランジスタである選択行及びデータ行を備える、液晶スクリーンにおいてマトリックスのアドレスを指定する方法であって、端が浮動している前記選択行は、最初のスイッチング・トランジスタと関連付けられる最初の部分と、最後のスイッチング・トランジスタと関連付けられる最後の部分とを有する遅延線を構成しており、前記最初のトランジスタから開始して前記最後のトランジスタまで進んで各トランジスタの制御入力に印加される、時間の関数としての電圧の周期信号によって各行を周期的に走査する工程を備える液晶スクリーンにおいてマトリックスのアドレスを指定する方法」（以下「前提とするマトリックスのアドレスを指定する方法」という。）に関して、
　遅延線は、次の（ア）の値を有し、
　前記電圧信号の各周期は、高レベル電圧に相当する安定状態部分と、次に来る減少曲線部分とを備え、該曲線部分は、傾斜の直線部分であり、前記傾斜の値であるαは、次の（イ）の値よりも少ないことを特徴とする点が記載されているといえる。
　
（ア）前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値。
　
（イ）前記遅延線の、該線の前記最後の部分での特性傾斜。
　
（２）本願の発明の詳細な説明の記載について
　上記３．（２）の記載からみて、本願の発明の詳細な説明には、以下の、アの背景技術、イの背景技術の課題、ウの解決法及びエの解決法の作用効果が記載されているものと認められる。
　
ア．背景技術
　背景技術は、前提とするマトリックスのアドレスを指定する方法における電圧信号（選択信号）の各周期は、高レベルＶＨ及び低レベルＶＬを有している方形である。ここで、高レベルＶＨはｔＦ−ｔｉ（ｔｉは安定状態の最初を示し、ｔＦは安定状態の最後を示す。）に等しい持続時間を有する安定状態中に印加される。
イ．背景技術の課題
（ア）この背景技術によれば、特に、均一な画像を表示することが望まれるとき、及び、同じ電圧がスクリーンの全列に印加されたときに、最後のスイッチング・トランジスタと関連付けられる最後の部分においてはその選択信号は著しい歪みを生じる。
（イ）この背景技術の方形の前記電圧信号における安定状態の最後である時点ｔＦで、画素の電極及び対向電極により形成されたキャパシタンスの端子の電圧は同一であるが、時点ｔＦ以降では、キャパシタンスの端子の電圧は同一ではない。
（ウ）その理由は、遅延線の最初の部分（Ａ点）において、電圧信号ＶＡ（ｔ）の電圧降下は非常に速く、トランジスタはｔＦの直後にターンオフされるが、遅延線の最後の部分（Ｂ点）においては、電圧信号ＶＢ（ｔ）は歪みを生じているためすぐには電圧降下せず、その電圧が「Ｖｎ＋Ｖｔ（Ｖｎは画素Ｐｎに供給された電圧、Ｖｔはトランジスタの閾値電圧）」よりも大きい限り、トランジスタは導通し続けるからである（段落０００７には「Ｖ１＋Ｖｔ」と記載されているが、これは「Ｖｎ＋Ｖｔ」の明らかな誤記である。）。
（エ）画素に液晶の光学特性を変えさせる電圧は、画素上の電圧と対向電極との間の電位差であるところ、画素上の電圧降下はトランジスタが接続された遅延線の部分の電圧降下に「Ｃｐ／Ｃ（Ｃｐは標遊キャパシタンス、Ｃは画素と対向電極との間のキャパシタンスである。）」を積算した値であり、Ｂ点の電圧降下（ΔＶｎ）はＡ点の電圧降下（ΔＶ１）よりも小さい。かくして、濃淡レベルは行の最初と最後で同じではない（“水平方向シェーディング”と称される問題）。
ウ．解決法
　解決法は、水平方向シェーディングの原因である行の遅延の影響を補償するため、電圧信号の形状を変えることであり、その特徴は、その電圧信号は、時点ｔｉから時点ｔＦまでの安定状態の後、時点ｔＦから、Ｂ点の遅延線の特性傾斜以下の傾斜αで、即ち、τはＢ点の遅延線の特性時間であり、ΔＶはＡ点の電位降下を表わすとき、ΔＶ／τよりも小さいαで減少する。電圧信号は時点ｔＦ’から瞬時に降下する。ここで、ＲＣが増加すると、長い特性時間をτとして使用することになる。
エ．解決法の作用効果
（ア）安定状態の最後の時点ｔＦと電圧信号が瞬時に降下する時点ｔＦ’との間で、電圧信号はＡ点及びＢ点で同一である。
（イ）選択行の全トランジスタは、対応する画素上で一定電圧を維持することができる。
（ウ）行の遅延の影響を補償し、水平方向シェーディングの問題を解決できる。
　
５．当審の判断
　
（１）本願の発明の詳細な説明の記載について
　ア．上記４．（２）からみて、本願の発明の詳細な説明には、「電圧信号が、時点ｔｉから時点ｔＦの安定状態の後、傾斜αで減少することにより、時点ｔＦから時点ｔＦ’まで傾斜αで減少する間、電圧信号はＡ点及びＢ点で同一にでき、選択行の全トランジスタは、対応する画素上で一定電圧を維持することができ、よって、行の遅延の影響を補償し、水平方向シェーディングの問題を解決できる。」旨記載されているものと認められる。
　イ．ところが、「傾斜α」については、「Ｂ点の遅延線の特性傾斜以下」であることが記載されているのみであり、「Ｂ点の遅延線の特性傾斜」がいかなる値であり、どのようにすればその値を求めることができるのかについて当業者が理解できるように記載されていない。
　また、「Ｂ点の遅延線の特性傾斜以下の傾斜α」について、「即ち、τはＢ点の遅延線の特性時間であり、ΔＶはＡ点の電位降下を表わすとき、ΔＶ／τよりも小さいα」と説明されているが、「Ｂ点の遅延線の特性時間τ」がいかなる値であり、どのようにすればその値を求めることができるのかについて当業者が理解できるように記載されていない。
　ウ．なお、念のため、「Ｂ点の遅延線の特性時間τ」に当たるものと解し得る「時間の長さ（以下、これをＴで表す。）」が発明の詳細な説明に記載されているか更に検討する。
　Ａ点の電位降下ΔＶは図３ａに記載されているので、ある時間「Ｔ」でΔＶを除算した値（ΔＶ／Ｔ）の傾きで電圧信号が減少する場合が、「時点ｔＦから時点ｔＦ’までΔＶ／Ｔの傾きで減少する間、電圧信号はＡ点及びＢ点で同一にでき、選択行の全トランジスタは、対応する画素上で一定電圧を維持することができ、よって、行の遅延の影響を補償し、水平方向シェーディングの問題を解決できる。」という作用効果を奏する上限の「電圧信号が減少する傾き」であるとの記載があるならば、上記「Ｔ」がまさしく「Ｂ点の遅延線の特性時間τ」に当たるものと解し得るが、そもそも、そのように解し得る上記「Ｔ」に該当する記載事項が発明の詳細な説明にない。
　エ．本願の発明の詳細な説明には、請求項１に記載の「遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有」する点について、何ら記載されていない。
　オ．以上の検討によれば、本願の発明の詳細な説明には、請求項１に記載の「特性傾斜」、「特性時間」及び「遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有」する点について、当業者がその技術上の意義を理解するために必要な事項が記載されているとはいえない。
　また、請求項１に記載の「傾斜の値であるα」の上限をどのように定めれば良いのかが不明であり、また、「遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有」する点をどのように実現すれば良いのかが不明であるから、本願の発明の詳細な説明の記載は、当業者が請求項１に記載の発明の実施をすることができる程度に明確かつ十分に記載したものでない。
　したがって、本願は、平成１４年改正前特許法３６条４項に規定する要件を満たしていない。
　
（２）特許請求の範囲の請求項１の記載について
　ア．請求項１の「前記遅延線の前記最初の部分と前記最後の部分との間の前記遅延線の特性時間」との記載では、「遅延線の特性時間」が具体的にい
かなる値であり、どのようにすればその値を求めることができるのか明確でない。
　イ．また、請求項１の「前記遅延線の前記最初の部分において印加された方形パルス信号の高レベル電圧と低レベル電圧との間の電圧降下に等しい特性傾斜」との記載では、電圧降下の単位はボルト（Ｖ）などであり、傾斜の単位は度（°）などであって全く異なる概念であるから、電圧降下と傾斜とが等しいという意味が技術上不明である。
　ウ．さらに、請求項１に記載の「遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有」するとは、技術上いかなることを意味しているのか不明である。
　エ．そして、発明の詳細な説明の記載及び出願時の技術常識を参酌しても上記ア〜ウの点は明確にならないから、請求項１の記載では、特許を受けようとする発明が明確でない。
　したがって、本願は、特許法３６条６項２号に規定する要件を満たしていない。
　オ．上記（１）で検討したところに照らせば、請求項１に記載の「特性傾斜」、「特性時間」及び「遅延線は、前記遅延線の前記最初の部分において印加された方形パルス信号の高レベル電圧と低レベル電圧との間の電圧降下に等しい特性傾斜を、前記遅延線の前記最初の部分と前記最後の部分との間の前記遅延線の特性時間で除算した値を有」するの点について、発明の詳細な説明に実質的に記載されているとはいえない。
　　したがって、本願は、特許法３６条６項１号に規定する要件を満たしていない。
　
６．むすび 
　以上のとおり、本願は、特許法第３６条４項、６項１号及び２号に規定する要件を満たしていないので特許を受けることができない。
　
　よって、結論のとおり審決する。